(57)【要約】【課題】防水機能を有する携帯機器用ホルダを提供する。【解決手段】スプリングコネクタ６は、絶縁樹脂製のコネクタハウジング６０と、所定数の端子ピン６５とを備える。コネクタハウジング６０の周囲には環状弾性体としての弾性リング７が設けられる。台部５２の凹部５６の底面にはコネクタ挿入孔５８が設けられ、コネクタ挿入孔５８の周囲は段差部５９となっている。スプリングコネクタ６はコネクタ挿入孔５８に下方から挿入され、弾性リング７は段差部５９に嵌入されてコネクタ挿入孔５８を水密封止する。弾性リング７は携帯機器側の部材（アダプタハウジング）に全周に渡って押圧される。コネクタハウジング６０の上面から突出した各端子ピン６５間にはリブ６２が設けられる。【選択図】図１０
2014075328.tif 000002
【特許請求の範囲】
【請求項１】
コネクタと、前記コネクタを挿入保持する孔部と、前記コネクタと前記孔部との間を水密封止する環状弾性体とを備える、携帯機器用ホルダ。
【請求項２】
前記孔部の周囲に段差部が設けられ、前記環状弾性体は前記段差部に嵌入されている、請求項１に記載の携帯機器用ホルダ。
【請求項３】
前記環状弾性体は携帯機器側の部材によって前記段差部の方向に押圧される請求項２に記載の携帯機器用ホルダ。
【請求項４】
前記コネクタのハウジングと前記環状弾性体と携帯機器側の前記部材とで水密空間を形成し、前記水密空間内で前記コネクタと前記携帯機器側との電気的接続が成される、請求項３に記載の携帯機器用ホルダ。
【請求項５】
携帯機器を前記環状弾性体側に付勢する付勢手段を備える請求項３又は４に記載の携帯機器用ホルダ。
【請求項６】
前記コネクタは、ハウジングと、前記ハウジングに保持された複数の端子とを有し、各々の端子は前記ハウジングから突出した先端部を有し、前記先端部間に突出する凸部が前記ハウジングに設けられている、請求項１から５のいずれか一項に記載の携帯機器用ホルダ。
【発明の詳細な説明】
【技術分野】
【０００１】
本発明は、スマートフォン等の携帯機器を保持して前記携帯機器と電気的に接続する携帯機器用ホルダに関する。
【背景技術】
【０００２】
一般に、携帯機器は、外部機器との通信や充電のための接続用に外部接続端子（ジャック）を備える。例えば充電の際には、こうした携帯機器の外部接続端子（ジャック）に充電器から延びるケーブル先端に設けたプラグを差し込む。下記特許文献１は、こうした差込み作業やそれに付随する作業（ジャックを探したりジャックのキャップを開ける等）の困難性に鑑み、携帯端末のジャックに端子変換アダプタを装着して平板端子に変換することで、携帯端末を置き台にセットするだけで充電を行えるようにしている。この端子変換アダプタの平板端子は、置き台のバネ端子部に接触して電気的に接続される。なお、平板端子を備える携帯端末であれば、端子変換アダプタは不要である。
【先行技術文献】
【特許文献】
【０００３】
【特許文献１】特開２０１０−２０５４３７号公報
【発明の概要】
【発明が解決しようとする課題】
【０００４】
特許文献１に示される置き台のような携帯機器ホルダにおいては、端子間短絡を防止する防水対策が取られていないのが現状である。
【０００５】
本発明はこうした状況を認識してなされたものであり、その目的は、防水機能を有する携帯機器用ホルダを提供することにある。
【課題を解決するための手段】
【０００６】
本発明のある態様は、携帯機器用ホルダであり、コネクタと、前記コネクタを挿入保持する孔部と、前記コネクタと前記孔部との間を水密封止する環状弾性体とを備える。
【０００７】
前記孔部の周囲に段差部が設けられ、前記環状弾性体は前記段差部に嵌入されていてもよい。
【０００８】
前記環状弾性体は携帯機器側の部材によって前記段差部の方向に押圧されてもよい。
【０００９】
前記コネクタのハウジングと前記環状弾性体と携帯機器側の前記部材とで水密空間を形成し、前記水密空間内で前記コネクタと前記携帯機器側との電気的接続が成されてもよい。
【００１０】
携帯機器を前記環状弾性体側に付勢する付勢手段を備えてもよい。
【００１１】
前記コネクタは、ハウジングと、前記ハウジングに保持された複数の端子とを有し、各々の端子は前記ハウジングから突出した先端部を有し、前記先端部間に突出する凸部が前記ハウジングに設けられてもよい。
【００１２】
なお、以上の構成要素の任意の組合せ、本発明の表現を方法やシステムなどの間で変換したものもまた、本発明の態様として有効である。
【発明の効果】
【００１３】
本発明によれば、防水機能を有する携帯機器用ホルダを提供できる。
【図面の簡単な説明】
【００１４】
【図１】図１（Ａ）は、本発明の実施の形態で保持対象とする携帯機器１の斜視図。図１（Ｂ）は、携帯機器１からアダプタ２を取り外した状態の斜視図。
【図２】図１（Ａ）のアダプタ２近傍の拡大斜視図（その１）。
【図３】同拡大斜視図（その２）。
【図４】図１（Ｂ）のアダプタ２近傍の拡大斜視図。
【図５】アダプタ２の斜視図。
【図６】図６（Ａ）は、上方から見たアダプタ２の分解斜視図。図６（Ｂ）は、下方から見た同分解斜視図（その１）。
【図７】下方から見た同分解斜視図（その２）。
【図８】携帯機器１を保持する、本発明の実施の形態に係る携帯機器用ホルダ５の斜視図。
【図９】図８のスプリングコネクタ６近傍の拡大斜視図。
【図１０】図９においてスプリングコネクタ６及び弾性リング７を分解して示す分解斜視図。
【図１１】図１１（Ａ）は、スプリングコネクタ６の斜視図。図１１（Ｂ）は、上方から見た同分解斜視図。図１１（Ｃ）は、下方から見た同分解斜視図。
【図１２】携帯機器１を保持した状態の携帯機器用ホルダ５の斜視図。
【図１３】携帯機器用ホルダ５への携帯機器１の装着過程説明図。
【図１４】図１４（Ａ）は、携帯機器１のアダプタ２と携帯機器用ホルダ５のスプリングコネクタ６との接続部を断面とした拡大正面図（接続前）。図１４（Ｂ）は、同拡大正面図（接続後）
【図１５】図１５（Ａ）は、同拡大側面図（接続前）。図１５（Ｂ）は、同拡大側面図（接続後）。
【図１６】図１６（Ａ）は、携帯機器１を保持した状態の携帯機器用ホルダ５をスタンド８に固定した状態の前方斜視図。図１６（Ｂ）は、同後方斜視図。
【図１７】図１７（Ａ）は、スタンド８と携帯機器用ホルダ５とを分離した状態の前方斜視図。図１７（Ｂ）は、同後方斜視図。
【発明を実施するための形態】
【００１５】
以下、図面を参照しながら本発明の好適な実施の形態を詳述する。なお、各図面に示される同一または同等の構成要素、部材等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００１６】
図１（Ａ）は、本発明の実施の形態で保持対象とする携帯機器１の斜視図である。図１（Ｂ）は、携帯機器１からアダプタ２を取り外した状態の斜視図である。図２は、図１（Ａ）のアダプタ２近傍の拡大斜視図（その１）である。図３は、同拡大斜視図（その２）である。図４は、図１（Ｂ）のアダプタ２近傍の拡大斜視図である。図５（Ａ）は、アダプタ２の上方から見た斜視図である。図５（Ｂ）は、同下方から見た斜視図である。図６（Ａ）は、上方から見た同分解斜視図である。図６（Ｂ）は、下方から見た同分解斜視図（その１）である。図７は、下方から見た同分解斜視図（その２）である。図１（Ａ）に示すように、携帯機器１は例えばスマートフォンであり、前面は全体的にタッチパネル１０となっている。アダプタ２は携帯機器１の例えば底面部の外部接続端子１１（図４）に取り付けられる。なお、図４では外部接続端子１１（ジャック）内の各端子の図示を省略している。アダプタ２は、絶縁樹脂製のアダプタハウジング２０と、複数の（ここでは４つの）導体部３０とを備える。
【００１７】
アダプタハウジング２０は、携帯機器１の外部接続端子１１内に差し込まれるプラグ部２１と、外部に露出して電極面を支持するベース部２２とを有する。プラグ部２１の内面には所定数の溝２３が形成される（図５）。各々の溝２３は携帯機器１の外部接続端子１１の各端子と嵌合する。ベース部２２は、外部に臨む凹部２４を有する。凹部２４の底面には穴部２５及び所定数の係止穴２９が形成される。また、凹部２４の底面にはリード孔４０（図７）が導体部３０と同数形成される。各々のリード孔４０はプラグ部２１の溝２３の１つと連通する。
【００１８】
各々の導体部３０は、板金部品であり、電極面３１と、リード部３３とを有する。電極面３１は外部機器との接続用である。リード部３３は携帯機器１の端子との接続用である。電極面３１の端部には２つの折曲げ突起部３５が設けられる。リード部３３の基端部は圧入用幅広部３６となっている。なお、電極面３１とリード部３３との間の連絡部３７は、電極面３１より１段低い位置にあって隣の導体部３０の電極面３１と接触しないようになっている。
【００１９】
アダプタ２の組立の際には、導体部３０のリード部３３をアダプタハウジング２０のリード孔４０に挿通していき、リード部３３の圧入用幅広部３６をリード孔４０に圧入することで導体部３０はアダプタハウジング２０に組み付けられる（固定される）。このとき、電極面３１は、アダプタハウジング２０の凹部２４の底面部上に位置し、端部の折曲げ突起部３５はアダプタハウジング２０の係止穴２９に嵌入する。リード部３３は、リード孔４０を貫通してプラグ部２１の溝２３内に延在し、携帯機器１側の所定の端子（不図示）との接触部を成す。
【００２０】
図８は、携帯機器１を保持する、本発明の実施の形態に係る携帯機器用ホルダ５（クレードル）の斜視図である。携帯機器用ホルダ５は、不図示のケーブルで車のシガーソケットや商用電源に接続される。携帯機器用ホルダ５は、前方支持部５１と、台部５２と、後方支持部５３と、背面カバー５４とを備える。それらはいずれも例えば絶縁樹脂製である。前方支持部５１は後方支持部５３にネジ止め等により固定される。前方支持部５１は携帯機器１の前面縁部近傍を支持し、携帯機器１のタッチパネル１０の大部分は露出させる。後方支持部５３は携帯機器１の背後を支持する。台部５２は後方支持部５３と一体である。台部５２の前端には携帯機器１の前方位置を規制する凸部５７が形成される。背面カバー５４は後方支持部５３に背後からネジ止め等により固定されて不図示の回路基板等を覆う。前方支持部５１と後方支持部５３とで形成される上部開口を閉じるようにスライドカバー５５が設けられる。台部５２の凹部５６には、後述するように所定数の端子ピンを1つのハウジング内に有するスプリングコネクタ６が固定される。
【００２１】
図９は、図８のスプリングコネクタ６近傍の拡大斜視図である。図１０は、図９においてスプリングコネクタ６及び弾性リング７を分解して示す分解斜視図である。図１１（Ａ）は、スプリングコネクタ６の斜視図である。図１１（Ｂ）は、上方から見た同分解斜視図である。図１１（Ｃ）は、下方から見た同分解斜視図である。スプリングコネクタ６は、絶縁樹脂製のコネクタハウジング６０と、所定数（アダプタ２の導体部３０と同数）の端子ピン６５とを備える。図９に示すように、コネクタハウジング６０の周囲には環状弾性体としての弾性リング７（ゴム等）が設けられる。図１０に示すように、台部５２の凹部５６の底面にはコネクタ挿入孔５８が設けられ、コネクタ挿入孔５８の周囲は段差部５９となっている。スプリングコネクタ６はコネクタ挿入孔５８に下方から挿入され、弾性リング７は段差部５９に上方から嵌入（圧入）されてコネクタ挿入孔５８を水密封止する。コネクタ挿入孔５８へのスプリングコネクタ６の挿入深さはコネクタハウジング６０のフランジ部６１により規定される。コネクタハウジング６０の下方には背面カバー５４が延在してコネクタハウジング６０の基端面（下面）を支持する。コネクタハウジング６０には所定数の端子挿入孔６４が設けられ、各々の端子挿入孔６４に各端子ピン６５が挿入（圧入）固定される。各端子ピン６５の先端部６６は、基端部６７に対して没突可能であって、不図示のスプリングにより突出方向に付勢されている。コネクタハウジング６０の上面から突出した各端子ピン６５間（先端部６６間）には、凸部としてのリブ６２（隔壁）が設けられる。また、コネクタハウジング６０の上面には、アダプタ２の穴部２５と嵌合する凸部６３が設けられ、これらの嵌合によりアダプタ２とコネクタ６との位置決めがなされる。
【００２２】
図１２は、携帯機器１を保持した状態の携帯機器用ホルダ５の斜視図である。図１３（Ａ）〜（Ｃ）は、携帯機器用ホルダ５への携帯機器１の装着過程説明図である。なお、図１３（Ａ）〜（Ｃ）において携帯機器用ホルダ５の前方支持部５１を部分的に省略して示している。後方支持部５３にはスライドガイド溝７１が形成され（前方支持部５１にも同様に不図示のスライドガイド溝が形成され）、スライドカバー５５が摺動自在に支持される。携帯機器１をホルダ５に装着する際には、スライドカバー５５を開けておき、携帯機器用ホルダ５の上部開口から携帯機器１を挿入し、その後スライドカバー５５を閉じる。スライドカバー５５の下面には付勢手段としての板バネ部７０が一体に設けられ、携帯機器１を下方（弾性リング７側）に付勢する。
【００２３】
図１４（Ａ）は、携帯機器１のアダプタ２と携帯機器用ホルダ５のスプリングコネクタ６との接続部を断面とした拡大正面図（接続前）である。図１４（Ｂ）は、同拡大正面図（接続後）である。図１５（Ａ）は、同拡大側面図（接続前）である。図１５（Ｂ）は、同拡大側面図（接続後）である。これらの図に示すように、アダプタ２を降下させてアダプタ２の凹部２４をスプリングコネクタ６のコネクタハウジング６０に被せることで、アダプタ２の導体部３０の電極面３１と、スプリングコネクタ６の端子ピン６５の先端部６６とが接触して相互に電気的に接続される。端子ピン６５は電極面３１に押されて収縮し先端部６６が後退する。なお、４本ある端子ピン６５のうち大径の２本が電源用で、小径の２本が信号用である。すなわち、携帯機器１と携帯機器用ホルダ５との間で電力供給や信号送受信が可能である。また、図示は省略したが各々の端子ピン６５の基端面には例えばケーブルが半田付け等により電気的に接続され、このケーブルにより端子ピン６５は不図示の基板に電気的に接続される。弾性リング７はアダプタハウジング２０に全周に渡って押圧される。これによりアダプタハウジング２０とコネクタハウジング６０との隙間から内部に水が進入することを防止できる（アダプタハウジング２０とコネクタハウジング６０との間に水密空間を形成できる）。
【００２４】
図１６（Ａ）は、携帯機器１を保持した状態の携帯機器用ホルダ５をスタンド８に固定した状態の前方斜視図である。図１６（Ｂ）は、同後方斜視図である。図１７（Ａ）は、スタンド８と携帯機器用ホルダ５とを分離した状態の前方斜視図である。図１７（Ｂ）は、同後方斜視図である。スタンド８のボタン８１を押して一対の爪８３を寄せた状態で携帯機器用ホルダ５の背面の係止孔８４に爪８３を挿入し、その後ボタン８１を離すことで、爪８３が係止孔８４に引っ掛かり、スタンド８に携帯機器用ホルダ５を固定できる。また、スタンド８のネジ８２を緩めることで携帯機器用ホルダ５の首振り角度を調節できる。スタンド８は、図示の例では車載用であり、底面は粘着性を有し例えば車のダッシュボードの上面に接着固定される。なおスタンド８の構成は周知なのでこれ以上の詳細な説明は省略する。
【００２５】
本実施の形態によれば、下記の効果を奏することができる。
【００２６】
(1) 従来は携帯機器用ホルダの防水は特に考慮されてこなかったが、本実施の形態では弾性リング７を設けたことでコネクタ挿入孔５８が水密封止され、さらにアダプタハウジング２０とコネクタハウジング６０との間も水密封止される（水密空間が形成される）ため、防水性が高められる。特に車載用の場合は振動する車内で飲み物などがこぼれることも多いため高い防水性が求められるが、本実施の形態ではこうした用途にも適合する。
【００２７】
(2) コネクタハウジング６０の上面から突出した端子ピン６５間にリブ６２が設けられるため、仮に水が浸入しても、端子ピン６５間の短絡が防止される。
【００２８】
(3) アダプタハウジング２０に導体部３０を挿入するだけでアダプタ２を組み立てられるため、インサート成型と比較して工程が簡易である。
【００２９】
以上、実施の形態を例に本発明を説明したが、実施の形態の各構成要素や各処理プロセスには請求項に記載の範囲で種々の変形が可能であることは当業者に理解されるところである。以下、変形例について触れる。
【００３０】
携帯機器１は、スマートフォン以外の携帯電話や携帯通信機器、あるいは携帯音楽プレーヤー等であってもよい。
【００３１】
アダプタ２の導体部３０及びスプリングコネクタ６の端子ピン６５の数は任意であり、用途に応じて適宜決定すればよい。
【符号の説明】
【００３２】
１  携帯機器、２  アダプタ、５  携帯機器用ホルダ、６  スプリングコネクタ、７  弾性リング、８  スタンド、１０  タッチパネル、１１  外部接続端子、２０  アダプタハウジング、２１  プラグ部、２２  ベース部、２３  溝、２４  凹部、２５  穴部、２９  係止穴、３０  導体部、３１  電極面、３３  リード部、３５  折曲げ突起部、３６  圧入用幅広部、３７  連絡部、４０  リード孔、５１  前方支持部、５２  台部、５３  後方支持部、５４  背面カバー、５５  スライドカバー、５６  凹部、５７  凸部、５８  コネクタ挿入孔、５９  段差部、６０  コネクタハウジング、６１  フランジ部、６２  リブ、６３  凸部、６４  端子挿入孔、６５  端子ピン、６６  先端部、６７  基端部、７０  板バネ部、７１  スライドガイド溝、８１  ボタン、８２  ネジ、８３  爪
【図１】
2014075328.tif 000003
【図２】
2014075328.tif 000004
【図３】
2014075328.tif 000005
【図４】
2014075328.tif 000006
【図５】
2014075328.tif 000007
【図６】
2014075328.tif 000008
【図７】
2014075328.tif 000009
【図８】
2014075328.tif 000010
【図９】
2014075328.tif 000011
【図１０】
2014075328.tif 000012
【図１１】
2014075328.tif 000013
【図１２】
2014075328.tif 000014
【図１３】
2014075328.tif 000015
【図１４】
2014075328.tif 000016
【図１５】
2014075328.tif 000017
【図１６】
2014075328.tif 000018
【図１７】
2014075328.tif 000019